(57)【特許請求の範囲】
【請求項１】
主表面を有する絶縁基板と、
前記絶縁基板の前記主表面上に配置された半導体素子と、
前記半導体素子を囲み、前記絶縁基板に接続されたケース材と、
前記ケース材と前記絶縁基板とにより囲まれた内部領域に配置され、前記半導体素子を囲む封止材料と、
前記半導体素子に接続されており、かつ前記ケース材と一体的に形成されている電極端子とを備え、
前記ケース材は、前記絶縁基板と接続された接続部に連なり、前記内部領域に面する凹部を含み、
前記凹部は、前記絶縁基板の前記主表面に面する内壁部分を含み、
前記内壁部分は、前記ケース材の外周側に位置する端部および内周側に位置する端部を有し、
前記電極端子は、前記絶縁基板の前記主表面に沿った方向に延びる第１部分と、前記第１部分と交差する方向に延びる第２部分とを有し、
前記絶縁基板の前記主表面から前記内壁部分の前記内周側に位置する前記端部までの距離は、前記主表面から前記半導体素子の上面までの距離より大きく、
前記内壁部分は、前記第１部分と前記主表面との間に配置されている、半導体装置。
【請求項２】
前記ケース材には、前記凹部内から前記ケース材の表面における前記凹部以外の領域にまで延びる貫通孔が形成されている、請求項１に記載の半導体装置。
【請求項３】
前記内壁部分は、前記絶縁基板の前記主表面と平行である、請求項１または請求項２に記載の半導体装置。
【請求項４】
前記内壁部分は、前記外周側に位置する前記端部から前記内周側に位置する前記端部に向けて、徐々に前記絶縁基板の前記主表面からの距離が大きくなるように、前記絶縁基板の前記主表面に対して傾斜している、請求項１または請求項２に記載の半導体装置。
【請求項５】
前記内壁部分の前記外周側に位置する前記端部と前記内周側に位置する前記端部との間の表面は曲面状である、請求項４に記載の半導体装置。
【請求項６】
前記ケース材において、前記半導体素子との間の距離が最も短い領域に前記凹部が形成されている、請求項１〜請求項５のいずれか１項に記載の半導体装置。
【請求項７】
前記ケース材は前記絶縁基板に固定されている、請求項１〜請求項６のいずれか１項に記載の半導体装置。
【請求項８】
前記封止材料はエポキシ樹脂またはシリコーン樹脂を含む、請求項１〜請求項７のいずれか１項に記載の半導体装置。
【発明の詳細な説明】
【技術分野】
【０００１】
この発明は、絶縁基板上に配置された半導体素子を封止樹脂により封止した半導体装置に関する。
【背景技術】
【０００２】
産業機器や自動車に搭載されるインバーター装置などに代表される半導体装置は、更なる高密度化、小型化が求められている。そのため、当該半導体装置に実装される半導体素子の実装密度が高くなっている。半導体素子の実装密度が高い半導体装置では、半導体素子を実装する絶縁基板の露出面積が相対的に小さくなる。この結果、半導体素子を保護する封止材料と絶縁基板との接着面積が小さくなる傾向にある。接着面積が小さいと、半導体装置の高温保存や熱サイクルによるストレスによって、封止材料と絶縁基板との間で剥離が生じる可能性がある。このような封止材料と絶縁基板との間の剥離は半導体装置の絶縁性を低下させ、結果的に半導体装置の信頼性が低下する恐れがある。【０００３】
半導体装置の信頼性を確保する観点から、封止材料と絶縁基板などとの剥離を抑制するために、特許文献１では絶縁基板としてのセラミックス基板が接合された銅ベースの表面において、セラミックス基板の周囲に２列以上の溝を形成している。特許文献１では、封止材料としてのエポキシ樹脂をトランスファモールドし、当該エポキシ樹脂の一部が溝の内部を充填することで封止材料と銅ベースとの接着性を向上させている。【０００４】
特許文献２では、セラミックからなる容器のキャビティ内部に半導体素子が配置され、当該キャビティ内部を封止材料により封止した半導体装置であって、キャビティの側壁下部に凹部を形成したものが開示されている。特許文献２の半導体装置では、側壁下部の凹部において底面との対向面が設けられている。凹部における上記対向面は半導体素子の上面高さ位置と下面高さ位置との間に配置される。特許文献２における半導体装置では、熱が半導体素子に加わった際に生じる、キャビティ底面から上方へ向かう応力と側壁上部からキャビティ底面に向かう応力とが打消しあう。この結果、キャビティ底面から上方へ向かう合成応力が低減され、当該合成応力による半導体素子の変形を抑制できるとしている。
【先行技術文献】
【特許文献】
【０００５】
【特許文献１】特開２００７−１８４３１５
【特許文献２】特開２００９−１６８８４
【発明の概要】
【発明が解決しようとする課題】
【０００６】
しかし特許文献１に開示されている方法では、銅ベースに溝を設けているため、銅ベースに対する封止材料のアンカー効果は得られるものの、セラミックス基板と封止材料間での剥離を直接的に抑制することはできない。さらに、銅ベースの表面に溝を形成するための領域を確保する必要があり、半導体装置の小型化を阻害する。また特許文献１に記載の半導体装置はトランスファモールド型の半導体装置であるため、半導体装置の端部に位置する銅ベース表面に溝を設けることができるが、ケース型モジュールにおいては絶縁基板の外周にケース材が接続されるため、絶縁基板の表面に溝を形成することがスペース的な制約などにより困難な場合がある。【０００７】
また、特許文献２に記載の半導体装置では、半導体素子の変形を抑制するために、凹部における上記対向面が半導体素子の上面高さ位置と下面高さ位置との間に配置されることが必要である。しかし、半導体素子が小型化し、その厚みも薄くなるとともに、当該半導体素子が絶縁基板上の回路基板に接合材を用いて実装されるような場合、絶縁基板から上記対向面までの高さが非常に低くなる。この場合、凹部内に封止材料を充填することが難しく、凹部近傍において封止材料と絶縁基板との境界部に空隙が形成される可能性がある。この結果、半導体装置の信頼性を確保できない懸念がある。【０００８】
本発明は上記のような問題点を解決するためになされたものであり、小型化が可能であって信頼性の高い半導体装置を提供することである。
【課題を解決するための手段】
【０００９】
本開示に従った半導体装置は、主表面を有する絶縁基板と、半導体素子と、ケース材と、封止材料とを備える。半導体素子は、絶縁基板の主表面上に配置される。ケース材は、半導体素子を囲み、絶縁基板に接続される。封止材料は、ケース材と絶縁基板とにより囲まれた内部領域に配置され、半導体素子を囲む。ケース材は、絶縁基板と接続された接続部に連なり、内部領域に面する凹部を含む。凹部は、絶縁基板の主表面に面する内壁部分を含む。絶縁基板の主表面から内壁部分までの距離は、主表面から半導体素子の上面までの距離より大きい。
【発明の効果】
【００１０】
上記半導体装置によれば、半導体素子の実装密度が高く小型化された半導体装置において、ケース材と絶縁基板との接続部に連なり十分な大きさの凹部が当該ケース材に形成されているので、凹部内に封止材料を確実に充填でき、封止材料と絶縁基板との接合面積を当該凹部が無い場合より大きくできる。このため、小型化された半導体装置において、封止材料と絶縁基板との接合強度を向上させ、熱ストレスに対する耐久性を高めることができる。この結果、小型でかつ信頼性の高い半導体装置を得ることができる。
【図面の簡単な説明】
【００１１】
【図１】本発明の実施の形態１に係る半導体装置の断面模式図である。
【図２】図１に示した半導体装置の部分断面模式図である。
【図３】本発明の比較例に係る半導体装置の断面模式図である。
【図４】図３に示した半導体装置の部分断面模式図である。
【図５】図３に示した比較例に係る半導体装置において封止材料が剥離した状態を示す断面模式図である。
【図６】図１に示した半導体装置の第１の変形例を示す部分断面模式図である。
【図７】図１に示した半導体装置の第２の変形例を示す部分断面模式図である。
【図８】本発明の実施の形態２に係る半導体装置の断面模式図である。
【図９】図８に示した半導体装置の部分断面模式図である。
【図１０】図８に示した半導体装置の第１の変形例を示す部分断面模式図である。
【図１１】図８に示した半導体装置の第２の変形例を示す上面模式図である。
【図１２】本発明の実施の形態３に係る半導体装置の断面模式図である。
【図１３】図１２に示した半導体装置の部分断面模式図である。
【図１４】図１２に示した半導体装置の変形例を示す部分断面模式図である。
【発明を実施するための形態】
【００１２】
以下、図面に基づいて本発明の実施の形態について説明する。なお、以下の図面において同一または相当する部分には同一の参照番号を付しその説明は繰返さない。
【００１３】
実施の形態１．
＜半導体装置の構成＞
図１は本発明の実施の形態１に係る半導体装置の基本構造を示す断面模式図である。図２は、図１に示した半導体装置の部分断面模式図である。図１および図２を参照しながら、本発明の実施の形態１に係る半導体装置の構成について説明する。図１および図２に示した半導体装置１００は、たとえば産業用、自動車用などに用いられる半導体パワーモジュールである。
【００１４】
図１を参照として、半導体装置１００は、絶縁基板４１と、金属ベース板３と、絶縁基板４１上に接合された半導体素子２と、配線材４ａ、４ｂと、半導体素子２周辺を取り囲むケース材５と、電極端子７と、封止樹脂１とを主に備える。ケース材５は絶縁基板４１に接着剤６により接続されている。ケース材５には、ケース材５の内側の面において絶縁基板４１側の端部に凹部５１が形成されている。凹部５１の内部には封止樹脂が充填されている。絶縁基板４１は、表面および裏面を有する絶縁層８と、当該絶縁層８の表面上に配置された第１回路基板３１と、絶縁層８の裏面上に配置された第２回路基板３２とを含む。絶縁層８の幅は第１回路基板３１および第２回路基板３２の幅より広い。そのため、絶縁層８の端部は第１回路基板３１および第２回路基板３２の端部より外側に延在している。
【００１５】
絶縁基板４１の上には半導体素子２が配置されている。半導体素子２は絶縁基板４１の第１回路基板３１に第１接合材２１により接続されている。絶縁基板４１は、金属ベース板３の上に配置されている。金属ベース板３と絶縁基板４１とは第２接合材２２により接続されている。
【００１６】
ケース材５は絶縁基板４１の絶縁層８の上に接着剤６を介して接合されている。接着剤６は、図２に示すようにケース材５と絶縁層８と第１回路基板３１とにそれぞれ接触するように配置されていてもよい。２つの半導体素子２は配線材４ａを用いて互いに接続されている。半導体素子２の１つは、配線材４ｂを用いて電極端子７と接続される。電極端子７はケース材５と一体的に形成されている。電極端子７の一方端部は、配線材４ｂとの接続部である。電極端子７は、ケース材５の内周面側において露出する一方端部から、ケース材５の内部を通って当該ケース材５の上側に突出するように配置されている。電極端子７では、配線材４ｂと接続された接続部が第１回路基板３１の表面に沿った方向に延びる第１部分となっている。また、電極端子７は、第１部分と交差する方向である鉛直方向に延びる第２部分を含む。第２部分はケース材５の内部を貫通してケース材５の上部上に突出した部分を含む。
【００１７】
第１回路基板３１の表面上側から見た場合に、ケース材５は半導体素子２の周囲を囲むような、たとえば四角形状の形状を有する。ケース材５に設けられた凹部５１の内周面は、ケース材５の表面と第１回路基板３１の表面とにより構成される。凹部５１には封止樹脂１が充填されている。凹部５１において、第１回路基板３１との対向面６１は、半導体素子２の上面２ａより高い位置にある。つまり、第１回路基板３１の表面から対向面６１までの距離Ｈ１は、第１回路基板３１の表面から半導体素子２の上面２ａまでの距離Ｈ２より大きい。
【００１８】
第１回路基板３１から第１回路基板３１の対向面６１までの距離Ｈ１は、たとえば０．５ｍｍ以上１０ｍｍ以下に設定され得る。距離Ｈ１が０．５ｍｍよりも小さいと、凹部５１において封止樹脂１を充填をするのに十分な空間が無く、当該封止樹脂１の充填が困難になる懸念がある。一方距離Ｈ１が１０ｍｍを超えると、半導体装置１００のサイズが大きくなってしまう。
【００１９】
凹部５１の外側に位置するケース材５の厚みＴ１は、ケース材５の強度を維持するためにある程度の厚さにすることが好ましい。たとえば、厚みＴ１を１ｍｍ以上２０ｍｍ以下に設定してもよい。厚みＴ１が１ｍｍよりも薄いと、ケース材５の強度が十分ではなくなる恐れがある。一方厚みＴ１が２０ｍｍを超えると、ケース材５の外周サイズを一定とした場合に、ケース材５の内周側の面積、つまり半導体素子２の実装面積が小さくなってしまう。
【００２０】
ここで半導体素子２は、たとえば大電流を高速スイッチングするＩＧＢＴ（Ｉｎｓｕｌａｔｅｄ  Ｇａｔｅ  Ｂｉｐｏｌａｒ  Ｔｒａｎｓｉｓｔｏｒ）、または半導体素子に並列に設けられる還流用のダイオードであってもよい。半導体素子２の材料としては、珪素（Ｓｉ）のみならず、珪素と比較してバンドギャップの大きい、いわゆるワイドバンドギャップ半導体を用いてもよい。ワイドバンドギャップ半導体としては、たとえば炭化珪素（ＳｉＣ）、窒化ガリウム（ＧａＮ）などの化合物半導体、あるいはダイヤモンドなどを用いることができる。また半導体素子２の数については、図１に示すように２つに限定するものではなく、１つでも、３以上でもよい。半導体素子２の数は、半導体装置の使用用途に応じて必要な個数とすることができる。
【００２１】
第１回路基板３１、第２回路基板３２、および電極端子７のそれぞれの材料としては通常銅を用いるが、これに限定するものでは無い。これらの材料については、必要な放熱特性を有するものであれば特に限定はされない。たとえば、当該材料としてアルミニウム（Ａｌ）、鉄（Ｆｅ）、またはアルミニウムと鉄との合金を用いてもよい。また、銅−インバー−銅といった異なる材料を積層した積層材等の複合材料を用いてもよい。さらに、アルミニウム−炭化珪素合金（ＡｌＳｉＣ）、または銅−モリブデン合金（ＣｕＭｏ）等の合金を用いてもよい。
【００２２】
第１回路基板３１および電極端子７の表面には、通常ニッケル（Ｎｉ）めっき層などのめっき層が形成されているが、必要な電流と電圧を半導体素子２に供給できる構造であれば、表面にめっき層が形成されていても、形成されていなくてもよい。めっき層が形成される場合、ニッケルめっき層の他に、たとえば、金めっき層または錫めっき層を形成してもよい。
【００２３】
また第１回路基板３１の表面には、図２に示すように通常第１接合材２１の搭載位置を規定するための位置決め部材１４が配置される。位置決め部材１４としては、たとえばレジスト材が塗布されていてもよい。位置決め部材１４の材料としては、第１接合材２１の搭載位置を規定できれば、ポリイミドを用いてもよい。また、上述した位置決め部材１４を配置しなくてもよい。
【００２４】
絶縁層８としては通常アルミナ（Ａｌ２Ｏ３）、窒化アルミニウム（ＡｌＮ）、窒化シリコン（Ｓｉ３Ｎ４）等のセラミックで構成された絶縁材料からなる基板が用いられる。絶縁層８の材料としては、上述の材料に限定されるものではなく、二酸化ケイ素（ＳｉＯ２）、窒化ホウ素（ＢＮ）等を用いてもよい。また絶縁層８として、セラミックからなる基板に限らず、セラミック粉を分散させた樹脂を硬化した樹脂絶縁基板を用いてもよい。絶縁基板４１では、絶縁層８の一方の表面に第１回路基板３１が貼り付けられ、他方の表面である裏面に第２回路基板３２が貼り付けられている。絶縁層８対して第１回路基板３１および第２回路基板３２を貼り付ける方法は任意の方法を採用し得る。
【００２５】
絶縁層８として用いる、セラミック粉を分散させた樹脂を硬化した樹脂絶縁基板において、セラミック粉として、アルミナ（Ａｌ２Ｏ３）、二酸化ケイ素（ＳｉＯ２）、窒化アルミニウム（ＡｌＮ）、窒化ホウ素（ＢＮ）、窒化シリコン（Ｓｉ３Ｎ４）等を用いることができる。セラミックス粉の材料としては、上述した材料に限られるものではなく、たとえば、ダイヤモンド（Ｃ）、炭化珪素（ＳｉＣ）、酸化ホウ素（Ｂ２Ｏ３）などを用いてもよい。
【００２６】
また、絶縁層８としての樹脂絶縁基板に分散させる紛体として、セラミック粉の他に、たとえば、シリコーン樹脂またはアクリル樹脂等の樹脂製の粉体を用いてもよい。粉体の形状は、球状であってもよいが他の形状であってもよい。たとえば、紛体の形状を、バルク材料を粉砕したままの粉砕形状（破砕状）、粒状、リン片状としてもよい。また、紛体として複数の単位紛体が凝集した凝集体を用いてもよい。絶縁層８として絶縁樹脂基板における粉体の充填量は、必要な放熱性と絶縁性が得られる量であればよい。樹脂絶縁基板を構成する樹脂の材料としては、通常、エポキシ樹脂が用いられるが、これに限られるものではない。上記樹脂の材料としては、たとえば、ポリイミド樹脂、シリコーン樹脂またはアクリル樹脂等を用いてもよい。当該樹脂としては、絶縁性と接着性とを兼ね備えた樹脂であればよい。
【００２７】
金属ベース板３の材料として、通常、銅（Ｃｕ）またはアルミニウム（Ａｌ）等の金属が用いられるが、これに限られるものではない。金属ベース板３の材料としては、たとえば、アルミニウム−炭化珪素合金（ＡｌＳｉＣ）、または、銅−モリブデン合金（ＣｕＭｏ）等の合金を用いてもよい。また、金属ベース板３の材料として、エポキシ樹脂、ポリイミド樹脂またはアクリル樹脂等の樹脂に代表される有機材料を用いてもよい。
【００２８】
配線材４ａ、４ｂとして、たとえばアルミニウムなどの金属から形成された、断面形状が円形状の線体を用いるが、これに限られるものでは無い。配線材４ａ、４ｂとして、銅やアルミニウム（Ａｌ）を帯状に成形した帯状体を用いてもよい。また配線材４ａ、４ｂとして断面形状が円形状の線材と帯状体とを組み合わせて用いてもよい。なお、図１および図２では一つの半導体素子２に対して、１本または２本の配線材４ａ、４ｂが接続された構造が示されているが、図１および図２の当該記載は配線材４ａ、４ｂと半導体素子２との接続状態を簡易的に示したものである。実際の半導体装置１００では、半導体素子２の電流密度、および半導体装置１００の動作温度等の条件によって必要な本数の配線材４ａ、４ｂを設けてもよい。
【００２９】
ケース材５の材料は主にＬＣＰ（Ｌｉｑｕｉｄ  Ｃｒｙｓｔａｌ  Ｐｏｌｙｍｅｒ）、ＰＰＳ（ＰｏｌｙＰｈｅｎｙｌｅｎｅ  Ｓｕｌｆｉｅｄ）が用いられるが、これに限定するものでは無い。ケース材５の材料としては、ＰＢＴ（ＰｏｌｙＢｕｔｙｌｅｎｅ  Ｔｅｒｅｐｈｔｈａｌａｔｅ）などの熱可塑性材料を用いてもよい。ケース材５の材料としては、耐熱性があり、成型性に富んだ材料であれば任意の材料を採用できる。
【００３０】
封止樹脂１の材料としては、たとえば、エポキシ樹脂を用いるが、これに限られるものでは無い。封止樹脂１の材料は、所望の弾性率、耐熱性および接着性を有する材料であればよい。封止樹脂１の材料として、たとえば、シリコーン樹脂、ウレタン樹脂、ポリイミド樹脂、ポリアミド樹脂、アクリル樹脂等を用いてもよい。
【００３１】
＜作用効果＞
上述した半導体装置１００は、主表面を有する絶縁基板４１と、半導体素子２と、ケース材５と、封止材料としての封止樹脂１とを備える。半導体素子２は、絶縁基板４１の主表面上に配置される。ケース材５は、半導体素子２を囲み、絶縁基板４１に接続される。封止樹脂１は、ケース材５と絶縁基板４１とにより囲まれた内部領域に配置され、半導体素子２を囲む。ケース材５は、絶縁基板４１と接続された接続部に連なり、内部領域に面する凹部５１を含む。凹部５１は、絶縁基板４１の主表面に面する内壁部分としての対向面６１を含む。絶縁基板４１の主表面（第１回路基板３１の上面）から内壁部分としての対向面６１までの距離Ｈ１は、主表面から半導体素子２の上面２ａまでの距離Ｈ２より大きい。また、異なる観点から言えば、図１および図２に示すように、本実施の形態の半導体装置１００では、絶縁基板４１が金属ベース板３の上に搭載される。半導体素子２が絶縁基板４１の上に実装される。半導体素子２を取り囲むようにケース材５が設けられる。このような半導体装置１００において、ケース材５の底面に、半導体素子２の上面２ａよりも高い位置に対向面６１が存在する凹部５１が形成されている。
【００３２】
このような半導体装置１００では、上述のようにケース材５において半導体素子２と対向するように凹部５１が形成されているので、半導体素子２近傍における封止樹脂１と第１回路基板３１の接着面積を大きくできる。このため、絶縁基板４１と封止樹脂１とが熱ストレスにより剥離する可能性を低減でき、熱ストレスに対して半導体装置１００の信頼性を向上することができる。
【００３３】
上記半導体装置１００において、内壁部分としての対向面６１は、絶縁基板４１の主表面、具体的には第１回路基板３１の表面と平行である。この場合、対向面６１が当該表面に対して傾斜している場合より、凹部５１の容積を十分に大きくすることができる。このため、凹部５１の内部に封止樹脂１を十分に充填できる。
【００３４】
上記半導体装置１００では、ケース材５において、半導体素子２との間の距離が最も短い領域に凹部５１が形成されている。この場合、半導体素子２から相対的に近い位置に当該凹部５１を配置できるので、凹部５１において絶縁基板４１と封止樹脂１との接着面積を大きくすることで半導体素子２に対して近い位置での当該封止樹脂１と絶縁基板４１との密着性を高めることができる。このため、封止樹脂１が絶縁基板４１からはがれることにより半導体素子２が損傷を受けるといった可能性を低減できる。
【００３５】
上記半導体装置１００では、ケース材５は絶縁基板４１に固定されている。この場合、封止樹脂１がケース材５にも固定されることで、当該ケース材５を介して絶縁基板４１に対して封止樹脂１を固定することができる。この結果、封止樹脂１が絶縁基板４１からはがれる可能性を低減できる。
【００３６】
上記半導体装置１００において、封止樹脂１はエポキシ樹脂またはシリコーン樹脂を含む。この場合、封止樹脂１により半導体素子２を確実に封止できる。
【００３７】
ここで、本実施の形態の半導体装置１００において、熱ストレスに対する信頼性を向上させることができる理由について、比較例の半導体装置１０１を参照しながら説明する。図３は本発明の比較例の半導体装置１０１の断面模式図である。図４は、図３に示した半導体装置１０１の部分断面模式図である。図３および図４に示した比較例としての半導体装置１０１は、基本的には図１に示した半導体装置１００と同様の構成を備えるが、ケース材５に凹部５１（図１参照）が形成されていない点が図１に示した半導体装置１００と異なる。
【００３８】
図３に示した比較例としての半導体装置１０１では、絶縁基板４１の上に搭載された半導体素子２の端部とケース材５の内壁との距離Ｌ２が図１に示した半導体装置１００における半導体素子２端部とケース材５の内壁との距離Ｌ１より小さい。また、図３における他の半導体素子２の端部とケース材５の内壁との距離Ｌ３も、図１における対応する部分の距離より小さい。
【００３９】
図３からわかるように、距離Ｌ２は、ケース材５において電極端子７を有する辺での当該ケース材５の内壁と半導体素子２の端部との間の距離である。この距離Ｌ２は、図１における対応する距離Ｌ１より顕著に小さくなっている。ここで、電極端子７は半導体素子２から配線材４ｂを用いて電気的に接続されている。電極端子７へ配線材４ｂを接続するためには、ワイヤボンダなどの配線装置がケース材５と干渉することを防ぐため、電極端子７がケース材５からの突出する幅Ｌ４（図４参照）を大きく取る必要がある。それに伴い、電極端子７を有する辺におけるケース材５の厚みＬ５（図４参照）は、電極端子７の無いケース材５の厚みＬ６（図３参照）と比較して大きくなる。このため、距離Ｌ２が特に小さくなる傾向にある。
【００４０】
距離Ｌ２が小さいと、半導体素子２近傍であって半導体素子２とケース材５との間の領域での封止樹脂１と第１回路基板３１との接着面積が小さくなる。接着面積が小さくなると熱ストレスがかかった際、その熱ストレスに封止樹脂１と第１回路基板３１との間の接着力が耐えられなくなる。この結果、図５に示すような剥離部１０が発生する。ここで、図５は図３に示した半導体装置１０１において封止樹脂１が第１回路基板３１から剥離した状態を示す断面模式図である。このような剥離は通常第１回路基板３１の端部から発生する。図３および図４に示した半導体装置１０１では、距離Ｌ２（図４参照）が小さいことから熱ストレスによって当該剥離が進展し、図５に示すように半導体素子２および第１接合材２１まで剥離が到達する。当該箇所まで剥離が進展すると、絶縁信頼性の低下が懸念される他、第１接合材２１に熱ストレスによるクラックが発生する懸念がある。
【００４１】
図３〜図５に示した比較例に対して、図１および図２に示した半導体装置１００では、ケース材５の内側に凹部５１を形成しているため、半導体素子２の近傍において、封止樹脂１と絶縁基板４１との接着面積、より具体的には封止樹脂１と第１回路基板３１との接着面積、が、比較例の半導体装置１０１と比較して大きくなっている。これにより、封止樹脂１と第１回路基板３１との接着性が向上し、半導体装置１００において熱ストレスに耐えることのできるマージンが大きくなる。この結果、半導体装置１００では熱ストレスがかかった際の剥離発生を抑制することができる。
【００４２】
＜変形例の構成および作用効果＞
図６は、図１に示した半導体装置の第１の変形例を示す部分断面模式図である。図６に示した半導体装置１００は、基本的には図１および図２に示した半導体装置と同様の構成を備えるが、電極端子７および第１回路基板３１の形状が図１および図２に示した半導体装置１００と異なっている。すなわち、図６に示した半導体装置１００では、電極端子７および第１回路基板３１のそれぞれにおける封止樹脂１と接触する部分の表面に、封止樹脂１との接着性を向上させるために、微小な凹凸が設けられた凹凸部１１、１２が形成されている。電極端子７では、配線材４ｂが接続された接続部に隣接する位置に凹凸部１２が形成されている。第１回路基板３１では、凹部５１の内部に位置する領域に凹凸部１１が形成されている。このような凹凸部１１、１２が形成されることで、封止樹脂１と電極端子７および第１回路基板３１との密着性が向上する。
【００４３】
図７は、図１に示した半導体装置の第２の変形例を示す部分断面模式図である。図７に示した半導体装置１００は、基本的には図１および図２に示した半導体装置と同様の構成を備えるが、電極端子７および第１回路基板３１の表面の一部に表面処理層１３が形成されている点が図１および図２に示した半導体装置１００と異なっている。すなわち、図７に示した半導体装置１００では、電極端子７および第１回路基板３１の表面において封止樹脂１と接触する表面に、表面処理層１３として接着性向上剤層が形成されている。電極端子７では、配線材４ｂが接続された接続部に隣接する位置に表面処理層１３が形成されている。第１回路基板３１では、凹部５１の内部に位置する領域に表面処理層１３が形成されている。当該表面処理層１３は、接着性向上剤を塗布することにより形成される。このような表面処理層１３が形成されることで、封止樹脂１と電極端子７および第１回路基板３１との密着性が向上する。
【００４４】
表面処理層１３は、電極端子７および第１回路基板３１のそれぞれの表面にプライマー処理等を施すことで形成されてもよい。接着性向上剤として、たとえばシランカップリング剤、ポリイミドまたはエポキシ樹脂等を用いることができる。接着性向上剤としては、電極端子７および第１回路基板３１と封止樹脂１との接着性を向上させるものであれば、任意の材料を用いることができる。
【００４５】
実施の形態２．
＜半導体装置の構成＞
図８は本発明の実施の形態２に係る半導体装置２００の基本構造を示す断面模式図である。図８を参照しながら、本発明の実施の形態２に係る半導体装置２００の構成について説明する。
【００４６】
図８に示すように、半導体装置２００は、基本的には図１および図２に示した半導体装置と同様の構成を備えるが、ケース材５の中に設けられた貫通孔９を有している点が図１および図２に示した半導体装置１００と異なっている。すなわち、図８に示した半導体装置２００では、凹部５１の内部からケース材５の上端まで延びる貫通孔９が形成されている。
【００４７】
＜作用効果＞
図８に示した半導体装置２００は、基本的には図１に示した半導体装置１００と同様の効果を得ることができる。さらに、図８に示した半導体装置２００において、ケース材５に設けられた貫通孔９は凹部５１の対向面６１からケース材５の上面まで到達するように、ケース材５を貫通している。つまりケース材５には、凹部５１内からケース材５の表面における凹部５１以外の領域にまで延びる貫通孔９が形成されている。貫通孔９が形成されていることで、凹部５１への封止樹脂１の充填性を向上させることができる。以下、図９を用いて説明する。図９は、図８に示した半導体装置の製造工程における部分断面模式図であって、当該半導体装置における貫通孔９の効果を説明するための模式図である。
【００４８】
図９に示すように、半導体装置２００において封止樹脂１を充填する際、封止樹脂１の流動性があまり高くない場合などに、封止樹脂１が凹部５１の対向面６１よりも高い位置でケース材５と接触する可能性がある。その場合、凹部５１内に封止樹脂１が配置されていない未充填部７１が発生する。このような未充填部７１が封止樹脂１の硬化後も凹部５１内に残留していた場合、封止樹脂１の絶縁性や剥離耐性が低下する懸念がある。
【００４９】
本実施の形態２の半導体装置２００では、未充填部７１に存在する空気層が貫通孔９を介して半導体装置２００の外側へ排出され得る。このため、図９に示すように未充填部７１が残存した状態で凹部５１の内周側開口部が封止樹脂１により閉じられた場合に、図９の矢印に示すように貫通孔９を介して未充填部７１の空気層が外部へ排出されるので、当該空気層が原因となり凹部５１内への封止樹脂１の流入が妨げられることがない。このため、未充填部７１にも封止樹脂１が充填され、結果的に凹部５１の全体に封止樹脂１が配置されるため、信頼性の高い半導体装置を提供することができる。
【００５０】
＜変形例の構成および作用効果＞
ここで貫通孔９は凹部５１内の未充填部７１に存在する空気層を凹部５１の外部へ排出することができれば、任意の形状を採用し得る。貫通孔９は、図８および図９に示すように対向面６１からケース材５の上側に必ずしも存在する必要は無い。図１０は、図８に示した半導体装置の第１の変形例を示す部分断面模式図であって、貫通孔９の別の構成例を示す断面模式図である。なお、図１０は図９に対応し、半導体装置の製造工程において封止樹脂１をケース材５内周側の空間に充填している時の状態を示している。
【００５１】
図１０に示した半導体装置は、基本的には図８および図９に示した半導体装置と同様の構成を備えるが、貫通孔９の構成が図８および図９に示した半導体層と異なっている。すなわち、図１０に示した半導体装置では、ケース材５において電極端子７の下に位置する凹部５１から、電極端子７の一部が配置されたケース材５の内壁の突出部上面まで貫通するように貫通孔９が形成されている。
【００５２】
図１０に示すように、ケース材５において電極端子７が搭載されている辺の凹部５１は、他の辺に凹部５１を形成する場合と比較して、半導体素子２端部とケース材５の凹部５１の内壁との距離Ｌ１が大きくなる。したがって、凹部５１内に未充填部７１ができやすい。そのため、図１０に示すように貫通孔９を電極端子７が配置されたケース材５の辺の突出部に設けることで、電極端子７下に位置する凹部５１内部から当該貫通孔９を介して空気を突出部の上方空間へ逃がすことができる。このため、図１０に示すように未充填部７１に存在する空気層の排出を促進して、凹部５１内を封止樹脂１により充填できる。
【００５３】
貫通孔９は、半導体装置２００において未充填部が発生しやすい場所に設置することが好ましい。図１１は、本実施の形態における半導体装置２００の第２の変形例を示す上面模式図である。
【００５４】
図１１に示した半導体装置は、基本的には図８および図９に示した半導体装置と同様の構成を備えるが、貫通孔９の構成が図８および図９に示した半導体層と異なっている。すなわち、図１１に示した半導体装置において、電極端子７が配置されたケース材５の辺に複数の貫通孔９ａ〜９ｃが形成されている。ケース材５の当該辺には複数の電極端子７が配置されている。複数の貫通孔９ａ〜９ｃは、当該電極端子７を挟むように配置されている。異なる観点から言えば、複数の貫通孔９ａ〜９ｃは、当該辺の延びる方向において電極端子７と並ぶように配置されている。貫通孔９ａ〜９ｃの径は、同じでもよいが個別に異なる大きさとしてもよい。たとえば、図１１に示すように、ケース材５の角部に近い領域に配置された貫通孔９ｂ、９ｃの径は、ケース材５の当該辺の中央部に配置された貫通孔９ａの径より大きくてもよい。ケース材５の角部では未充填部７１が発生しやすい場合があり、貫通孔９ｂ、９ｃの径を相対的に大きくしておくことで当該未充填部７１からより確実に空気を排出できる。
【００５５】
ここで、未充填部７１が発生する箇所は、半導体素子２や配線材４等の配置に依存する。しかし、たとえばケース材５の１つの辺に対して半導体素子２の端面がほぼ平行となるような単純な構成である場合、図１１に示すようにケース材５の当該１つの辺の中央部に貫通孔９ａを配置することで、封止樹脂１とケース材５の最初の衝突位置に発生する未充填部７１を解消することができる。またケース材５の角部に貫通孔９ｂ、９ｃを配置することで、封止樹脂１の最終充填位置に発生する未充填部７１を解消することができる。ケース材５のある一辺の中央部に貫通孔９ａを配置する際は、電極端子７との干渉を防ぐため、電極端子７からある程度離れた場所において貫通孔９を設置することが好ましい。
【００５６】
実施の形態３．
＜半導体装置の構成＞
図１２は本発明の実施の形態３に係る半導体装置３００の基本構造を示す断面模式図である。図１２を参照しながら、本発明の実施の形態３に係る半導体装置３００の構成について説明する。
【００５７】
図１２に示すように、半導体装置３００は、基本的には図８に示した半導体装置２００と同様の構成を備えるが、凹部５１の内壁の形状が図８に示した半導体装置２００と異なっている。すなわち、図１２に示した半導体装置３００では、凹部５１における絶縁基板４１との対向面６１が、絶縁層８の表面または第１回路基板３１の表面に対して傾斜している。異なる観点から言えば、凹部５１の対向面６１は、ケース材５の外周側の端部から内周側の端部に向けて、徐々に絶縁層８または第１回路基板３１からの距離が大きくなるような傾斜面となっている。貫通孔９は、当該傾斜面である対向面６１の途中の部分からケース材５の上面まで延びるように形成されている。
【００５８】
＜作用効果＞
図１２に示した半導体装置３００は、基本的には図８に示した半導体装置と同様の効果を得ることができる。また、図１２に示した半導体装置３００では、凹部５１において第１回路基板３１と対向する内壁部分としての対向面６１が、絶縁基板４１の主表面（たとえば第１回路基板３１の表面）に対して傾斜した平面となっている。そのため凹部５１内において発生した未充填部７１が対向面６１に沿って凹部５１外へ排出されやすい。この結果、凹部５１内に未充填部７１が残存する可能性を低減でき、信頼性の高い半導体装置を提供できる。
【００５９】
以下、図１３を参照しながら図１２に示した半導体装置３００の効果をより詳しく説明する。図１３は、図１２に示した半導体装置３００の部分断面模式図であって、図１２に示した半導体装置３００の製造工程における１つの工程を示している。図１３は図９に対応する。
【００６０】
図１３に示す半導体装置では、凹部の対向面６１が傾斜面となっている。そのため、封止樹脂１の封止時に凹部５１（図１２参照）内で発生する未充填部７１が傾斜面である対向面６１を伝って容易に上部へ移動できる。このため、未充填部７１が封止樹脂１の上面から半導体装置３００の外側へ排出される。一方、対向面６１が第１回路基板３１の表面と平行であれば、封止樹脂１の充填時に発生する未充填部７１について、貫通孔９から未充填部７１内の空気を排気できないような場合に、未充填部７１が凹部５１内から移動できない。そのため、凹部５１内に未充填部７１が残存する可能性も考えられるが、図１２に示した半導体装置３００ではこのような可能性を低減できる。
【００６１】
＜変形例の構成および作用効果＞
図１４は図１２に示した半導体装置３００の変形例を示す部分断面模式図である。図１４を参照しながら、本発明の実施の形態３の変形例に係る半導体装置の構成について説明する。なお、図１４は図１３に対応する。
【００６２】
図１４に示す半導体装置は、基本的には図１２に示した半導体装置３００と同様の構成を備えるが、凹部５１(図１２参照）の内壁の形状が図１２に示した半導体装置３００と異なっている。すなわち、図１４に示した半導体装置では、凹部５１（図１２参照）における絶縁基板４１との対向面６１の表面が、絶縁層８の表面または第１回路基板３１の表面に対して傾斜するとともに、曲面状となっている。異なる観点から言えば、図１４に示した半導体装置では、対向面６１が絶縁基板４１側に凸の曲面状となっている。また、当該対向面６１は、ケース材５の外周面側から内周面側に向かうにつれて、絶縁層８の表面または第１回路基板３１の表面からの距離が徐々に大きくなっている。図１４に示す断面では、対向面６１の断面は円弧状となっている。貫通孔９は、曲面状の対向面６１からケース材５の上面まで伸びるように形成されている。
【００６３】
図１４に示した半導体装置によれば、図１２に示した半導体装置３００と同様の効果を得ることができる。
【００６４】
また、上述した各実施の形態の構成を適宜組み合わせてもよい。たとえば、実施の形態２または実施の形態３に係る半導体装置２００，３００に、図６または図７に示した構造を適用してもよい。また、実施の形態３に係る半導体装置３００に、図１０または図１１に示した構造を適用してもよい。
【００６５】
今回開示された実施の形態はすべての点で例示であって、制限的なものではないと考えられるべきである。本発明の範囲は上記した説明ではなくて請求の範囲によって示され、請求の範囲と均等の意味、および範囲内でのすべての変更が含まれることが意図される。
【符号の説明】
【００６６】
１  封止樹脂、２  半導体素子、２ａ  上面、３  金属ベース板、４ａ，４ｂ  配線材、５  ケース材、６  接着剤、７  電極端子、８  絶縁層、９，９ａ，９ｂ，９ｃ  貫通孔、１０  剥離部、１１，１２  凹凸部、１３  表面処理層、１４  位置決め部材、２１  第１接合材、２２  第２接合材、３１  第１回路基板、３２  第２回路基板、４１  絶縁基板、５１  凹部、６１  対向面、７１  未充填部、１００，１０１，２００，３００  半導体装置。
【要約】
小型化が可能であって信頼性の高い半導体装置を提供する。半導体装置（１００）は、主表面を有する絶縁基板（４１）と、半導体素子（２）と、ケース材（５）と、封止材料としての封止樹脂（１）とを備える。半導体素子（２）は、絶縁基板（４１）の主表面上に配置される。ケース材（５）は、半導体素子（２）を囲み、絶縁基板（４１）に接続される。封止樹脂（１）は、ケース材（５）と絶縁基板（４１）とにより囲まれた内部領域に配置され、半導体素子（２）を囲む。ケース材（５）は、絶縁基板（４１）と接続された接続部に連なり、内部領域に面する凹部（５１）を含む。凹部（５１）は、絶縁基板（４１）の主表面に面する内壁部分としての対向面（６１）を含む。絶縁基板（４１）の主表面（第１回路基板（３１）の上面）から内壁部分としての対向面（６１）までの距離（Ｈ１）は、主表面から半導体素子（２）の上面（２ａ）までの距離（Ｈ２）より大きい。【図１】
0006461441.tif 000002
【図２】
0006461441.tif 000003
【図３】
0006461441.tif 000004
【図４】
0006461441.tif 000005
【図５】
0006461441.tif 000006
【図６】
0006461441.tif 000007
【図７】
0006461441.tif 000008
【図８】
0006461441.tif 000009
【図９】
0006461441.tif 000010
【図１０】
0006461441.tif 000011
【図１１】
0006461441.tif 000012
【図１２】
0006461441.tif 000013
【図１３】
0006461441.tif 000014
【図１４】
0006461441.tif 000015